(57)【要約】【課題】本体部に対しカメラ部を回転可能と成した電子機器のスライド蓋（摺動手段）を改善した電子機器に関する。【解決手段】本体部１２とカメラ部１５を枢軸１４を中心に回転可能とし、カメラ部１５と本体部１２をスライド蓋５２をスライドさせて一体化させた時にカメラ部１５が回転出来ない様に構成した電子機器を提供する。【選択図】        図１
2005033436.tif 000002
【特許請求の範囲】
【請求項１】
本体部とカメラ部とを一体化した時の全体的なケーシング形状が偏平な略直方体或は立方体状と成し、該本体部のパネル面の所定の側面に沿って該本体部の一側端に回動自在に該カメラ部を配設させて成ることを特徴とする電子機器。
【請求項２】
前記本体部及びカメラ部の前記ケーシングの上下或は左右側面に大きなアールの曲面をとって、該ケーシングの上下或は左右側面では該ケーシングが立設出来ない様に成したことを特徴とする請求項１記載の電子機器。
【請求項３】
前記本体部のパネル面が載置面に直接対接しない突出部を設けて成ることを特徴とする請求項１又は請求項２記載の電子機器。
【請求項４】
前記カメラ部を前記本体に対し回動させて、該カメラ部を該本体部を保持する脚部と成したことを特徴とする請求項１乃至請求項３のいずれか１項記載の電子機器。
【請求項５】
本体部内に記録・再生部を有し、被写体からの光を結像するレンズを有するカメラ部を該本体部に対し、回動可能と成した電子機器であって、
上記本体部の一端側を枢軸として、上記カメラ部を該本体部に対し、回動可能とし、上記カメラ部の上記レンズを有する側に該カメラ部と該本体部間を該レンズを覆う様に摺動自在に配設された摺動手段と、
上記摺動手段が上記カメラ部の上記レンズを覆っているように摺動した場合に該カメラ部を上記枢軸を中心に回動を防止するロック手段とを具備してなることを特徴とする電子機器。
【請求項６】
前記摺動手段を前記カメラ部側に摺動させた場合に前記枢軸を中心に該カメラ部を回転させた時に該摺動手段を１方向に偏倚させる偏倚手段を前記本体部に配設して成ることを特徴とする請求項５記載の電子機器。
【請求項７】
前記レンズ部を前記枢軸を中心に回動させた場合には前記摺動手段を摺動出来ない様なロック手段を配設して成ることを特徴とする請求項５又は請求項６記載の電子機器。
【請求項８】
前記摺動部材と対抗した本体部にマイクロホンを設け、該摺動手段を該本体部側に摺動させた時には該マイクロホンを収音可能状態とし、該摺動手段を前記カメラ部側に摺動させた時には該マイクロホンを閉蓋状態と成したことを特徴とする請求項５乃至請求項７のいずれか１項記載の電子機器。
【発明の詳細な説明】
【０００１】
【発明の属する技術分野】
本発明は、携帯型のカムコーダ、撮像装置、デジタルカメラの如き電子機器に係わり、特に、本体部とカメラ部の組み合わせ構造及びカメラ部の摺動手段に関する。
【０００２】
【従来の技術】
従来から、ビデオカメラ１体型ＶＴＲ（カムコーダ）等の電子機器に於いては図８に示す様に本体部１と成るケーシング２の前面に液晶モニタ（以下ＬＣＤと記す）３等を設け、本体部１の左側面には円筒状のカメラ部４を立設し、このカメラ部４のレンズ５を覆う為のレンズカバ６を円筒状のカメラ部４の側面の一部に沿って本体部１から突出する様に設けている。このカメラ部４内にはレンズ５を結像する光を光電変換するＣＣＤ等を有し、本体部１側にＣＣＤの出力を供給するようになされている。
【０００３】
カメラ部４は本体部１に対し矢印Ｃ−Ｃ方向に回転操作することが出来るように成されたカムコーダが特許文献１に開示されている。
【０００４】
【特許文献１】特開平７−２１２６４０号公報（図１、段落番号００１７〜００２０）
【０００５】
【発明が解決しようとする課題】
上述の様に本体部１に対しカメラ部を回転可能とする構成ではカメラ部４が円筒形状と成されている為に、ケーシングの形状は本体部１に対してカメラ部４が本体部１から突出した形状と成されるが、カメラ部４と本体部１のケーシングを一体化したときにカメラ部４を認識することが出来ない様な、例えば偏平な直方体状或は立方体状のケーシング構造とすることが出来ないので携帯用の電子機器を設計する場合に持ち易さ、操作性、デザイン性等で制限を受けることになる。
【０００６】
又、レンズカバ６は本体部１の側面に固定されている為に本体部１を箱型に成すことが出来ず、又、未使用時にはカメラ部４をＣ−Ｃ方向に回転させて、レンズ５を保護することが必要となる。更にカメラ部４に対し、本体部１のＬＣＤの角度調整が出来ない等の課題を有していた。
【０００７】
本発明は叙上の課題を解消するために成されたもので、本発明が解決しようとする課題は、カメラ部を回転させ本体部と一体化させた時にほぼ箱型の形状となされて携帯性及び収納性の良い電子機器を得ると共に、スライドカバを構成する摺動手段（シャッタ）がレンズを保護している時はカメラ部４の回転を防止する様に成して、無理な力でカメラ部を回転出来ない様に成した電子機器を得ることを目的とするものである。
【０００８】
【課題を解決するための手段】
本発明はカメラ部を本体部に対し回転可能にした電子機器のケーシングを一体化した時に略箱型と成る様に成したものである。
【０００９】
本発明の電子機器は本体部とカメラ部とを一体化した時の全体的なケーシング形状が偏平な略直方体或は立方体状と成し、本体部のパネル面の所定の側面に沿って本体部の一側端に回動自在にカメラ部を配設させて成るものである。
【００１０】
本発明の電子機器は本体部内に記録・再生部を有し、被写体からの光を結像するレンズを有するカメラ部を本体部に対し、回動可能と成した電子機器であって、本体部の一端側を枢軸として、カメラ部を本体部に対し、回動可能とし、カメラ部のレンズを有する側にカメラ部と本体部間をレンズを覆う様に摺動自在に配設された摺動手段と、この摺動手段がカメラ部のレンズを覆っているように摺動した場合にカメラ部を枢軸を中心に回動を防止するロック手段とを設けたものである。
【００１１】
斯かる、本発明の電子機器に依ればカメラ部と本体部を一体化させた状態では略偏平な直方形状或は立方体状のケーシングとして認識させることが出来、携帯性、収納性、操作性、デザイン性の優れた電子機器が得られる。
【００１２】
又、本発明に依れば本体部に対し回転可能と成したカメラ部に摺動手段（シャッタ）を被せた時にカメラ部を回転させ様としても回転出来ない電子機器を得ることが出来る。
【００１３】
【発明の実施の形態】
以下、本発明の電子機器として、記録媒体を記録再生する記録・再生駆動ユニット（ＨＤＤ、ＦＤＤ、光ピックアップ駆動ユニット、メモリフラッシュ等）及びＣＣＤ等の撮像手段としてカメラをケーシング内に設けた電子機器について詳記する。
【００１４】
図１は本発明の電子機器に用いる摺動手段（シャッタ）の動作状態を示す一部側断面図、図２は本発明の電子機器の摺動手段を説明するための外観斜視図、図３は本発明の電子機器のロック機構を説明するための斜視図、図４は本発明の電子機器の１形態例とロック機構を説明するための斜視図、図５は摺動手段の動作説明用斜視図、図６は本発明の電子機器の本体部に設けたマイクロホンの防塵方法を説明する為の説明図、図７は本発明の電子機器の系統図である。
【００１５】
先ず、本発明の電子機器の全体的な構成を図４（Ａ），（Ｂ）及び図７によって説明する。
【００１６】
図４（Ａ）は本発明の電子機器の１形態例の構成を示すものであり、電子機器とコンピュータ（以下ＣＰＵと記す）間は図４（Ｂ）に示すクレードル（Ｃｒａｄｌｅ）１１を介して信号の授受が行われる。
【００１７】
図４（Ａ），（Ｂ）に於いて、１０はＨＤＤユニットを内蔵した電子機器を示し、１１はＣＰＵとの間で電子機器１０で撮像した画像データ等を送受信するための載置架台と成るクレードルである。
【００１８】
電子機器１０は本体部１２と、この本体部１２のケーシング１３の下端側に配設した枢軸１４に回動自在に枢着されたカメラ部１５とで構成される。このカメラ部１５は（図４（Ａ）の矢印Ｂ−Ｂ）に示す様に枢軸１４を中心に本体部１２に対し略１８０度回転可能でレンズ１６を手前側或は背面側までの所定位置に設定することができる。
【００１９】
従って、図４（Ａ）に示す状態では、カメラ部１５の下側の背面板側（図４（Ａ）では下面）又は上側の前面（図４（Ａ）では上面）を机等に載置すれば、カメラ部１５は本体部１２の脚として機能させることが出来るので本体部１２のパネル面に配設したＬＣＤ等の表示部７の枢軸１４に対する傾き角度を自由に調整可能と成りビューファインダ等として利用可能である。
【００２０】
本体部１２のパネル面には各種操作釦群１８が配設され、表示部７と略並行する様にケーシング１３内には薄型のＨＤＤユニット（図示せず）が配設され、操作群１８の左側にはＨＤＤアクセス用のＬＥＤ２２等が配設されて、ＨＤＤユニットのアクセス状態の監視を本体部１２の外側から可能と成されている。
又、本体部１２のケーシング１３の上下（底面及び上面）は前後（パネル面及び背面）方向に大きなＲを有する曲面の半円状部１９が形成されている。レンズ１６等の光学系を内蔵したカメラ部１５のカメラケーシング２４も同様に上下面は半円状部１９が形成されている。依って以下に説明するクレードル上に電子機器１５を載置する以外に、電子機器１０を机上等に載置する場合は本体部１２のパネル面側或はパネル面と反対の背面で載置するように制限される。
【００２１】
依って、電子機器１５の半円状部１９をクレードル１１に形成した半円状凹部２０に嵌め込んで、電気的接続を行なうことでクレードル１１の映像端子、音声端子、ＵＳＢ（Ｕｎｉｖｅｒｓａｌ  Ｓｅｒｉａｌ  Ｂａｓ）端子（図７参照）を介してＣＰＵやＣＲＴ等へ入出力できる。このクレードル１１は充電回路も内蔵され、充電装置としても兼用できて、スタンド２３を介して載置面に対し傾斜して配置可能である。従って、電子機器１０をクレードル１１に載置させない状態で机の上に載置させるには背面側或はパネル面側を載置面に置く様になるので特にパネル面側のＬＣＤ等の表示部７を保護するために４個の凸部４７が図２（Ａ）乃至（Ｃ）や図４（Ａ）の様に設けられている。又、ケーシングの上下面を大きなＲの曲面としたので電子機器１０を落下させた時の衝撃が線接触のために緩和され、下面側に設けたコネクタ類を保護出来る。
【００２２】
図４（Ｃ）は図４（Ａ）のＡ部の拡大斜視図を示すものであるが、これら構成については後述する。
【００２３】
図７は本発明の電子機器の全体的な系統図であり、図４（Ａ），（Ｂ）との対応部分には同一符号を付して説明を進める。
【００２４】
電子機器１０のカメラ部１５内にはレンズ１６の光学系を介して撮像した被写体像をＣＣＤ２５等の撮像素子に投射し、ＣＣＤ２５で電気信号に変換された映像信号、マイクロホン３１で収音された音声信号等は前置増幅回路２６及び、カメラ及び音声信号処理回路２７等を介してメインコンピュータで構成した制御回路２８に接続したバスライン２９に供給される。
【００２５】
バスライン２９にはインタフェース３０，３２，３４を介してＨＤＤ（記録・再生駆動ユニット）３５、バッファメモリ３６、メモリカード３７が接続され、制御回路２８を介してバッファメモリ３６やＨＤＤ３５に格納した映像信号や音声信号のデータをモニタ駆動回路３８を介してモニタ用のＬＣＤ等の表示部７に映像信号を表示すると共に、スピーカ駆動回路３９及びスピーカ３３を介して音声信号を放音し、必要に応じてクレードル１１内の映像信号処理回路４１、音声信号処理回路４２、インタフェース４３を介して映像信号、音声信号、ＵＳＢ信号を外部に出力する。
【００２６】
クレードル１１はプラグ４５を介してＡＣの外部電源４４を電源回路４０でＡＣ−ＤＣ変換し、電子機器１０の本体部１２内に配設した電源回路４６に与えられ、上述の各回路の電圧源として動作させている。操作釦群１８はＣＰＵ２８に接続され、ＨＤＤユニット３５にはアクセス状態を表示するＬＥＤ２２等が接続されている。
【００２７】
以下、本発明の１形態例を示す電子機器１０の１構成例を図１乃至図６によって詳記する。尚図４（Ａ），（Ｂ）及び図７で説明した対応部分には同一符号を付して重複説明を省略する。
【００２８】
図２（Ａ），（Ｂ）は偏平な略直方体状に形成したケーシング１３から成る本体部１２と、同じく偏平な縦長の略直方体状に形成したカメラケーシング２４とで成るカメラ部１５を枢軸１４を中心にＢ−Ｂ方向に回転させて一体化させて偏平な略長方形状或は略立方体形状のケーシングと成る様に成したものである。
【００２９】
本体部１２及びカメラ部１５のケーシング１３及びカメラケーシング２４の上下面は上述の様に大きなＲ（１０Ｒ）の曲面と成され、ケーシング１３の下面側にはクレードル１１との電気的接続を成すコネクタ等が設けられている。
【００３０】
又、本体部１２及びカメラ部１５のケーシング１３及びカメラケーシング２４に形成した上面側の半円状部１９には図２（Ａ），（Ｂ）、図３（Ａ），（Ｂ）、図６（Ａ）に示す様に本体部１２側には第１の開口部４８を形成し、カメラ部１５側には第２の開口部４９を形成する。図６（Ａ）はカメラ部１５のカメラケーシング２４及び本体部１２のケーシング１３に後述する摺動手段（レンズ１６及びマイクロホン３１用のシャッタ、以下スライド蓋と記す）５２を取り去った状態を示していて、本体部１２内でカメラ部１５のレンズ１６近傍に収音用のマイクロホン３１を配設する様に成されている。
【００３１】
又、第１の開口部４８及び第２の開口部４９のＬＣＤ等が配設されているパネル面側及び背面側に図２（Ａ），（Ｂ）、図３（Ａ），（Ｂ）、図４（Ｃ）、図５（Ａ）（Ｂ）に示す様な第１及び第２の溝部５０及び５１を形成し、図５（Ａ），（Ｂ）、図４（Ｃ）に示す様に上側に大きなＲ（１０Ｒ）で湾曲したスライド蓋５２を第１及び第２の溝部５０及び５１に沿って摺動可能に枢着させてある。
【００３２】
このスライド蓋５２は図２（Ａ），（Ｂ）に示す様に本体部１２側からカメラ部１５方向又はその反対方向に摺動可能と成され、スライド蓋５２の左側には収音用の透孔５４が穿たれている。従って、図２（Ａ）及び図６（Ｂ）の様にスライド蓋５２をカメラ部１５側の第２の開口部４９側に移動させればカメラ部１５のレンズ１６及びマイクロホン３１はスライド蓋５２でカバーされ、不使用状態或は収納時にはマイクロホン３１にはスライド蓋５２でカバーされ塵埃が付着することがない。一般のカムコーダ等ではマイクロホン３１はむき出しの場合が多く塵埃が付着するが本例では、この様な弊害が除去出来る。又、レンズ１６側には透孔５４を通して、塵埃が付着する可能性があるが、透孔５４部分に音を透過させるサラン等の布部材を貼着させればよいし、レンズ１６の表面の汚れは一般に拭き取ることが出来るのでカメラ部１５側での塵埃の侵入は特に問題とならないがマイクロホン３１の場合は塵埃を取り除くことは困難である。
【００３３】
又、図２（Ｂ）及び図６（Ｃ）の様にスライド蓋５２を本体部１２側に摺動させればカメラ部１５の上面側に配設したレンズ１６は第２の開口部４９から露出した状態と成り、スライド蓋５２は本体部１２の第１の開口部４８内に収まるため、カメラ部１５を枢軸１４を中心に図３（Ａ）、図４（Ａ）に示す様に回転させることが出来て任意の角度でＬＣＤ７をビューファインダとして撮像を行なうことが可能と成る。この場合、収音すべき音はスライド蓋５２に穿った透孔５４を通じて入って来るので録音が可能状態と成る。
【００３４】
更に、図２（Ａ），（Ｂ）に示す様なカメラ部１５が折り畳まれた状態で、クレードル１１に載置することで自動的に内部二次電池の充電等を行なうことになるが例えば、図２（Ｃ）の様に机等の載置面５５に置かれた場合に表示部（ＬＣＤ）７に設けたタッチパネル等を傷つけないためにパネル面側には４個所に設けた凸部４７により載置面５５から所定の空隙を生じさせてＬＣＤ表面を保護する様に成されている。
【００３５】
図３（Ａ）は電子機器１０を背面側から視た斜視図で机等の載置面５５上にカメラ部１５を脚として所定の被写体像を撮像或は記録した画像をモニタしている状態を示すものであり、カメラ部１５のＥ部の拡大図を図３（Ｂ）に示している。
【００３６】
図３（Ａ）に示すカメラ部１５のカメラケーシング２４の右側面板（図３（Ａ）では左側）２４Ｒの上方の一側にはカメラ部１５の回動を阻止するロック手段のロック片５７（図４参照）が挿入される角形の透孔５６が穿たれている。又、右側面板２４Ｒの上方の略中央位置にはスライド蓋５２がカメラ部１５の枢軸１４を中心に回動している撮像時等ではカメラ部１５側に摺動出来ない様に成されたスライド蓋ロック解除釦（以下解除釦と記す）５９をスプリング等を介して偏倚させて、この解除釦５９の押圧片をカメラケーシング２４の右側面板２４Ｒから突出させている。
【００３７】
更に、本体部１２側のケーシング１３の左側面板１３Ｌに図４（Ａ）のＡ部拡大図である図４（Ｃ）及び図５（Ａ）に示される様に上部の一側にはカメラ部１５の回動を阻止するロック手段を構成する略舌片状のロック片５７が突出可能な角形の溝穴６０が穿たれている。又、本体部１３の左側面板１３Ｌの上部の略中央位置にロック解除検出釦６１が設けられている。
【００３８】
上述のスライド蓋５２を図２（Ａ）に示す様にカメラ部１５側にスライドさせた状態で無理にカメラ部１５を枢軸１４を中心に回動させる様にするとスライド蓋５２等を破損させる可能性がある。そこで上述の様に無理な力でカメラ部１５を回転させた場合スライド蓋５２を所定方向に移動出来る様にしてスライド蓋５２が破壊しない様にする偏倚手段６３がこのスライド蓋５２に設けられている。
【００３９】
上述の偏倚手段６３の構成を図１（Ｃ）、図５（Ｂ）、図６（Ｂ）に示す。即ち、スライド蓋５２の底部から垂下させ軸の下端にストッパ６４ａを形成し、軸にスライダ６４を嵌遊させ、ストッパ６４ａとスライダ６４間にスプリング６５を介在させた偏倚手段６３によって常時スライド蓋５２が上動する様な偏倚力を与える様に成し、本体部１２の第１の開口部４８の長手方向に沿って形成した溝６６に偏倚手段６３を摺動自在に挿入し、溝６６に沿ってスライド蓋５２と共にスライドさせる様に成される。
【００４０】
従って、カメラ部１５を枢軸１４を中心に無理に回転させるとスライド蓋５２は図５（Ｂ）で矢印（Ｆ）で示す上向きの力が働いて、本体部１２及びカメラ部１５の第１及び第２の溝部５０及び５１より、スライド蓋５２の前後の端部６７，６８（図５（Ｂ）参照）が持ち上げられ上方に逃げるためにスライド蓋５２を破損しない様にすることが出来る。
【００４１】
次に、上述の各構成を基に図１を用いてスライド蓋５２を図２（Ａ）に示す様にカメラ部１５側に移動させ、本体部１２と一体化させた時にはカメラ部１５を枢軸１４を中心に回転することが出来ない様に閂を入れる様にする構成及び動作を説明する。
【００４２】
図１（Ｃ）は図６（Ｂ）や図４（Ｃ）で説明したロック機構とスライド蓋近傍の略線的な縦断面図であり、図１（Ｃ）のＤ−Ｄ矢視断面図を図１（Ａ），（Ｂ）に示している。図１（Ａ）はスライド蓋５２の開蓋状態であり、図１（Ｂ）はスライド蓋５２の閉蓋状態を示す側断面図である。
【００４３】
図１（Ａ），（Ｂ），（Ｃ）に於いて、スライド蓋５２の底面には図５（Ｂ）にも示す様にスライド蓋５２の長手方向に長溝７０が形成されている。又、この長溝７０と対向する様に図５（Ａ）で説明した断面が図１（Ａ），（Ｂ）に示す様に溝孔６０が穿たれ、カメラ部１５側には図３（Ｂ）で説明した透孔５６が穿たれている。ロック片５７は断面がＬ字状と成され、このロック片５７の垂直片５７Ｖの先端は長溝７０内に挿入されロック片５７の水平片５７Ｈは溝孔６０内に挿通されている。
【００４４】
上述の構成に於いて、スライダ蓋５２を図１（Ａ）の様に本体部１２側にスライドさせるとロック片５７の垂直片５７Ｖは長溝７０の始端に当接して水平片５７Ｈはカメラ部１５側の透孔５６から離脱し、カメラ部１５を回動可能状態に成す。更に図１（Ｂ）の様にスライド蓋５２をカメラ部１５側にスライドさせればロック片５７の垂直片５７Ｖは長溝７０の終端に当接してロック片５７の水平片５７Ｈの舌片をカメラ部１５の透孔５６内に挿入して、カメラ部１５は本体部１２にロックされて回転が阻止可能と成る。
【００４５】
又、上述の動作を行なう際にスライド蓋５２は図５（Ｂ）に示す様に端部６７，６８と本体部１２の第１の溝部及びカメラ部１５の第２の溝部（図５（Ａ）参照）５０及び５１はテーパ面７２と成っているため、このテーパの効果と上述のロック片５７による閂との相乗効果によってレンズ部１５の回転を防止することが出来る。
【００４６】
上述のスライド蓋５２について、カメラ部１５を回転させた状態ではカメラ部１５側にスライド出来ない様に成す構成については種々の機構や方法が考えられるが、例えばソレノイドの鉄芯等を用いてロック蓋５２をロック状態として、スライド蓋５２がカメラ部１５側にスライド出来ない様にし、スライド蓋ロック解除釦５９がロック解除検出釦６１に挿入されたことを電気的に検知してスライド蓋５２を偏倚用スプリング等を用いて本体部１２方向の位置に戻せばよい。
【００４７】
上述の例えば図２（Ａ）の構成では本体部１２の左側にカメラ部１５を配し、本体部１２の下端部の枢軸１４を中心に回動可能とした構成を説明したが、カメラ部１５を本体部１２に対し配設する位置は本体部１２の右側、或は上（平面）又は下側（底面）であってもよく、枢軸１４の位置はカメラ部１５の上側或は、左右端であってもよいことは明らかである。又、本体部１２の上下面にカメラ部１５を配した時には本体部の左右側面板を大なるＲの曲面とすればよい。
【００４８】
又、ロック機構も１実施例を示すものであり、要はスライド蓋をカメラ部側にスライドさせた状態でカメラ部が枢軸を中心に回動しない様にロックする機構であればよいことは明白である。
【００４９】
本発明によれば下記に示す多くの特徴のある電子機器を提供可能である。
（１）カメラ部と本体部を一体化させた状態で略偏平な箱型と成し携帯性、収納性、操作性、デザイン性に優れた電子機器を提供可能となる。
（２）本体部に対し、回転可能と成したカメラ部にスライド蓋を覆せた時にカメラ部の回転を阻止することが可能な電子機器を提供可能である。
（３）カメラ部を回転させている使用状態ではスライド蓋がロックされていてカメラ部側に移動しないのでカメラ部の回転運動を妨げない電子機器を提供可能である。
（４）スライド蓋をカメラ部側にスライドさせた不使用時、充電時、収納時にカメラ部を枢軸を中心に無理に回動させたとしてもスライド蓋が一方向に逃げてスライド蓋の破損が防止可能な電子機器が提供可能となる。
（５）クレードル等の載置台を用いなくてもカメラ部を回動させることで本体部の角度を任意に設定することが出来る電子機器が提供可能となる。
（６）カメラ部及び本体部のレンズやマイクロホン、或はコネクタ等を収納するケーシングの上下、左右側面部分に大きなＲの曲面をとることで落下時等の衝撃を緩和出来ると共にユーザがこれらの面を底面として立てることが出来ない様にしたので、こわれ易い電子部品や塵埃を嫌う部品を保護することが出来る。
（７）スライド蓋によって収納状態では撮像時に必要なレンズやマイクロホンが保護され、塵埃の付着がなく、撮像時にはスライド蓋をスライドするだけでカメラ部とマイクロホンを作動準備状態にすることが出来る。
【００５０】
【発明の効果】
本発明によればカメラ部を回転させ本体部と一体化させた時に略箱型の形状と成されて携帯性及び収納性の良い電子機器を得ると共にスライドカバーを構成する摺動手段（シャッタ）がレンズを保護している時はカメラ部４の回転を防止する様に成して、無理な力でカメラ部を回転出来ない様に成した電子機器を得ることが出来る。
【図面の簡単な説明】
【図１】本発明の電子機器に用いるロック機構の１形態例を説明するための要部側断面図である。
【図２】本発明の電子機器の摺動手段を説明するための外観斜視図である。
【図３】本発明の電子機器のロック機構を説明するための斜視図である。
【図４】本発明の電子機器の１形態例とロック機構を説明するための斜視図である。
【図５】本発明の摺動手段の動作説明用斜視図である。
【図６】本発明の電子機器の本体部に設けたマイクロホンの防塵方法を説明する為の説明図である。
【図７】本発明の電子機器の系統図である。
【図８】従来の電子機器の外観斜視図である。
【符号の説明】
７‥‥表示部（ＬＣＤ）、１０‥‥電子機器、１１‥‥クレードル、１２‥‥本体部、１３‥‥ケーシング、１５‥‥カメラ部、１６‥‥レンズ、３１‥‥マイクロホン、５２‥‥スライド蓋、５４，５６‥‥透孔、５７‥‥ロック片、５９‥‥スライド蓋ロック解除釦、６０‥‥溝孔、６１‥‥ロック解除検出釦、６３‥‥偏倚手段、７０‥‥長溝
【図１】
2005033436.tif 000003
【図２】
2005033436.tif 000004
【図３】
2005033436.tif 000005
【図４】
2005033436.tif 000006
【図５】
2005033436.tif 000007
【図６】
2005033436.tif 000008
【図７】
2005033436.tif 000009
【図８】
2005033436.tif 000010